(57)【要約】【課題】体積の大きな物品、例えば生鮮果実を良好に包装できること。【解決手段】収納した物品１（メロンＭ）に対する衝撃を、空気の圧力により緩衝する包装体１０であって、筒形状に形成されて袋部１５内に空気が封入可能とされ、内側に物品を収納可能な収納空間１６を形成する本体部１１と、この本体部の下端側における内側に配設されると共に、袋部１５内に空気が封入可能とされ、収納空間内に収納された物品に当接可能なストッパ部１２と、本体部の上端側に配設され、収納空間内に収納された物品の飛び出しを防止するフラップ部１３と、を有することを特徴とするものである。【選択図】    図１
2004237987.tif 000002
【特許請求の範囲】
【請求項１】
収納した物品に対する衝撃を、気体の圧力により緩衝する包装体であって、
筒形状に形成されて気体が封入可能とされ、内側に上記物品を収納可能な収納空間を形成する本体部と、
この本体部の一端側における内側に配設されると共に、気体が封入可能とされ、上記収納空間内に収納された上記物品に当接可能なストッパ部と、を有することを特徴とする包装体。
【請求項２】
上記本体部の他端側には、収納空間内に収納された物品の飛び出し防止用のフラップ部が配設されたことを特徴とする請求項１に記載の包装体。
【請求項３】
上記本体部の他端側における内側には、気体が封入可能とされるとともに、収納空間内に収納された物品に当接して当該物品の飛び出しを防止する抑止部が配設されたことを特徴とする請求項１に記載の包装体。
【請求項４】
収納した物品に対する衝撃を、気体の圧力により緩衝する包装体であって、
筒形状に形成されて気体が封入可能とされ、内側に上記物品を収納可能な収納空間を形成する本体部と、
この本体部の一端側を閉塞して、上記収納空間内に収納された上記物品に当接可能な閉塞部と、を有することを特徴とする包装体。
【請求項５】
上記本体の閉塞部には、その外周に沿って、気体が封入されて膨出する膨出部が設けられたことを特徴とする請求項４に記載の包装体。
【請求項６】
上記本体の他端側に、把持可能な取っ手部が設けられたことを特徴とする請求項１乃至５のいずれかに記載の包装体。
【請求項７】
収納した物品に対する衝撃を、気体の圧力により緩衝する包装体であって、
筒形状に形成されて気体が封入可能とされ、内側に上記物品を収納可能な収納空間が形成されると共に、
一端側が漸次縮径して縮径部とされ、この縮径部が、上記収納空間内に収納された上記物品に当接可能に構成されたことを特徴とする包装体。
【請求項８】
上記一端側へ延びる切込みが他端側に形成され、この切込みにより分割された上記他端側部分が接合されて、収納空間内に収納された物品の飛び出しが防止可能に構成されたことを特徴とする請求項７に記載の包装体。
【請求項９】
収納した物品に対する衝撃を、気体の圧力により緩衝する包装体であって、
筒形状に形成されて気体が封入可能とされ、内側に上記物品を収納可能な収納空間が形成されると共に、
上記収納空間内に上記物品が収納された状態で気体が封入されることにより、一端側部及び他端側部が内側に膨出して上記物品に当接するよう構成されたことを特徴とする包装体。
【請求項１０】
上記収納空間内には、物品を係止して、当該物品の最大外形部分を一端側部と他端側部の境界に位置付ける位置決め手段が設けられたことを特徴とする請求項９に記載の包装体。
【請求項１１】
上記他端側または他端側部に、把持可能な取っ手部が設けられたことを特徴とする請求項７乃至１０のいずれかに記載の包装体。
【発明の詳細な説明】
【０００１】
【発明の属する技術分野】
本発明は包装体に係り、特にメロンなどのように物流における取り扱いが比較的困難な、体積の大きな物品を包装するに好適な包装体に関する。
【０００２】
【従来の技術】
体積の大きな物品、例えばメロンなどの生鮮果実は、特許文献１に記載の如く、発泡スチロールネットで個装したうえ、段ボール箱などの単位包装体内で、木毛などの緩衝材を用いて包装されている。
また、販売店の店頭において、上記メロンなどは、上記段ボール箱から取り出されて発泡スチロールネットに包装された状態で陳列されたり、段ボール箱に包装された状態で陳列されている。
【０００３】
【特許文献１】
特開平１０‐２８７３６９号公報（第２頁）
【０００４】
【発明が解決しようとする課題】
ところが、メロンなどの陳列に際し発泡スチロールネットにて包装された状態では、このネットが、落下の衝撃や、メロンどうしの衝突による衝撃などに対し十分な緩衝効果を発揮し得ず、良好な包装がなされているとは言えない。
また、段ボール箱に収納された状態でメロンを陳列したのでは、メロンを目視できないため、陳列効果が低下してしまう。
【０００５】
本発明の目的は、上述の事情を考慮してなされたものであり、体積の大きな物品、例えば生鮮果実を良好に包装できる包装体を提供することにある。
【０００６】
【課題を解決するための手段】
請求項１に記載の発明は、収納した物品に対する衝撃を、気体の圧力により緩衝する包装体であって、筒形状に形成されて気体が封入可能とされ、内側に上記物品を収納可能な収納空間を形成する本体部と、この本体部の一端側における内側に配設されると共に、気体が封入可能とされ、上記収納空間内に収納された上記物品に当接可能なストッパ部と、を有することを特徴とするものである。
【０００７】
請求項２に記載の発明は、請求項１に記載の発明において、上記本体部の他端側には、収納空間内に収納された物品の飛び出し防止用のフラップ部が配設されたことを特徴とするものである。
【０００８】
請求項３に記載の発明は、請求項１に記載の発明において、上記本体部の他端側における内側には、気体が封入可能とされ、収納空間内に収納された物品に当接して当該物品の飛び出しを防止する抑止部が配設されたことを特徴とするものである。
【０００９】
請求項４に記載の発明は、請求項１乃至３のいずれかに記載の発明において、上記本体の他端側に、把持可能な取っ手部が設けられたことを特徴とするものである。
【００１０】
請求項５に記載の発明は、収納した物品に対する衝撃を、気体の圧力により緩衝する包装体であって、筒形状に形成されて気体が封入可能とされ、内側に上記物品を収納可能な収納空間が形成されると共に、一端側が漸次縮径して縮径部とされ、この縮径部が、上記収納空間内に収納された上記物品に当接可能に構成されたことを特徴とするものである。
【００１１】
請求項６に記載の発明は、請求項５に記載の発明において、上記一端側へ延びる切込みが他端側に形成され、この切込みにより分割された上記他端側部分が接合されて、収納空間内に収納された物品の飛び出しが防止可能に構成されたことを特徴とするものである。
【００１２】
請求項７に記載の発明は、請求項５または６に記載の発明において、上記他端側に、把持可能な取っ手部が設けられたことを特徴とするものである。
【００１３】
【発明の実施の形態】
以下、本発明の実施の形態を、図面に基づき説明する。
［Ａ］第１の実施の形態（図１〜図８；請求項１，２及び５に対応）
図１は、本発明に係る包装体の第１の実施の形態を示す斜視図である。図５は、図１の包装体で、空気を封入する前の斜視図である。
【００１４】
これらの図１及び図５に示す包装体１０は、収納した物品１に対する外方からの衝撃を、気体としての空気の圧力により緩衝するものであって、本体部１１、ストッパ部１２、フラップ部１３及び取っ手部１４を有して構成される。これらの本体部１１、ストッパ部１２、フラップ部１３及び取っ手部１４は、柔軟な気密性の高い合成樹脂フィルムにて構成されている。
ここで、上記物品１は体積の大きな物品であり、例えばメロンＭ（図７）やスイカなどの生鮮果実、あるいは植木鉢Ｕ（図８）などである。
【００１５】
上記本体部１１は、図１、図５〜図７に示すように、空気を封入可能な多数の袋部１５を備えて六角筒形状に形成される。この本体部１１の内側には、上記袋部１５に空気が封入されてこの袋部１５が膨出された状態においても、物品１が収納可能な収納空間１６が形成される。
【００１６】
前記ストッパ部１２は、本体部１１の一端側（本実施の形態では下端側）における内側に配設され、空気を封入可能な複数の上記袋部１５を備えて構成される。このストッパ部１２は、当該ストッパ部１２を構成する袋部１５に空気が封入されたときに膨出して、本体部１１の下端側における内側の開口面積を縮小する。従って、ストッパ部１２を構成する袋部１５に空気が封入されたときに、このストッパ部１２は、収納空間１６内に収納された物品１に当接してストッパ機能を果たし、この物品１が本体部１１の下端から抜け落ちることを防止すると共に、この物品１を包装体１０の下端から持ち上げて保持する。
【００１７】
前記フラップ部１３はシート形状に形成され、本体部１１の他端側（本実施の形態では上端側）に配設される。このフラップ部１３は、基端部が本体部１１の上記上端に熱接合され、先端部に接着テープ１７が装着されている。フラップ部１３は、本体部１１の収納空間１６内に物品１が収納されたときに、この物品１を覆う位置に設けられて、物品１が収納空間１６内から飛び出すことを防止する。尚、このフラップ部１３の幅は、六角形をなす本体部１１の上端縁形状の一辺の長さよりも狭く形成されている。
【００１８】
前記取っ手部１４はシート形状に形成され、本体部１１の他端側（本実施の形態では上端側）に配設される。この取っ手部１４は、物品１を覆うフラップ部１３に対して交差するように、その両端が本体部１１の上端に熱接合される。この取っ手部１４を把持することによって、包装体１０が持ち運び可能とされる。尚、この取っ手部１４は、フラップ部１３よりも狭い幅に形成されている。
【００１９】
ところで、上記本体部１１及び上記ストッパ部１２は、図２〜図５に示す手順によって製作される。つまり、図２に示すように、長方形状又は正方形状の表面シート１８と、この表面シート１８と同形状の裏面シート１９とを用意する。これらの表面シート１８と裏面シート１９のそれぞれの外周縁部をヒートシールなどにより熱接合して、図２の縦、横に縦外縁接合部２０、横外縁接合部２１をそれぞれ形成し、これら（縦外縁接合部２０、横外縁接合部２１）と平行してヒートシールなどにより表面シート１８及び裏面シート１９を熱接合して、それぞれ複数の縦接合部２２及び横接合部２３を形成する。
次に、このように熱接合された表面シート１８及び裏面シート１９を、一方の横外縁接合部２１に最も近い横接合部２３上の仮想直線２５を境として例えば表面シート１８側に折り重ね、図３に示すように、ヒートシールなどにより熱接合して複数の縦接合部２４を形成する。これらの縦接合部２４のそれぞれは、縦接合部２２の各々と同一直線状に設けられ、本実施の形態では、表面シート１８及び裏面シート１９の長手方向に沿って等間隔に５列設けられる。
【００２０】
その後、図４に示すように、表面シート１８を内側に、裏面シート１９を外側に位置付けるようにして屈曲または湾曲させ、両端に位置する縦外縁接合部２０をヒートシールなどにより熱接合する。このとき、図５に示すように、熱接合された表面シート１８及び裏面シート１９の大部分は、同一直線状にある縦接合部２２及び２４を境に折り曲げられて、六角形状の本体部１１を構成する。更に、仮想直線２５を境に表面シート１８側に折り曲げられた表面シート１８及び裏面シート１９の一部は、本体部１１の下端側に配設されたストッパ部１２を構成し、このストッパ部１２も縦接合部２４を境に折り曲げられる。
【００２１】
ここで、図２及び図３に示すように、表面シート１８及び裏面シート１９には、縦外縁接合部２０、横外縁接合部２１、縦接合部２２、２４及び横接合部２３により囲まれて多数の袋部１５が形成され、本体部１１及びストッパ部１２は、これらの袋部１５が連接されて構成される。また、縦外縁接合部２０及び横外縁接合部２１が連続して形成されているのに対し、縦接合部２２及び２４と横接合部２３とのそれぞれは連続せず、所定の隙間を隔てて形成されている。このため、本体部１１及びストッパ部１２を構成する多数の袋部１５は、縦接合部２２、２４及び横接合部２３の上記隙間により形成された通気部２６によって連通されることになる。従って、本体部１１とストッパ部１２とは、袋部１５への空気の封入に関し上記通気部２６を用いて連通される。
【００２２】
図５に示すように、本体部１１には給排気口２７が設けられる。この給排気口２７は、本体部１１における一つの袋部１５内に逆止弁２８（図３）を備える。この逆止弁２８によって、本体部１１の袋部１５内に封入された空気が外部へ流出しないよう構成される。また、給排気口２７から逆止弁２８を経て空気が供給されることにより、本体部１１及びストッパ部１２の全ての袋部１５に、通気部２６を経て空気が封入される。
【００２３】
このように、本体部１１及びストッパ部１２の袋部１５に空気が封入されることによって、図７及び図８に示すように、これら本体部１１及びストッパ部１２の袋部１５が収納空間１６内に膨出し、本体部１１の袋部１５は収納空間１６内の物品１を空気圧により保持し、ストッパ部１２の袋部１５は、本体部１１の下端側の開口面積を縮小して、収納空間１６内の物品１が本体部１１の下端側から抜け落ちることを防止する。更に、収納空間１６内の物品１は、本体部１１及びストッパ部１２のそれぞれにおける袋部１５内の空気の圧力によって、包装体１０外の衝撃に対し緩衝される。
【００２４】
上述のように構成された包装体１０では、本体部１１の給排気口２７から本体部１１及びストッパ部１２の袋部１５内へ空気を供給した後に、本体部１１の収納空間１６内に物品１を収納してもよく、或いは、本体部１１及びストッパ部１２の袋部１５内へ空気を供給する前に本体部１１の収納空間１６内に物品１を収納し、その後、給排気口２７を介して、本体部１１及びストッパ部１２の袋部１５内へ空気を供給して封入してもよい。後者の場合には、収納空間１６内の物品１が、本体部１１及びストッパ部１２の袋部１５内における空気の圧力により挟持されて、収納空間１６内に保持されることになる。
【００２５】
以上のように構成されたことから、上記実施の形態によれば、次の効果（１）〜（５）を奏する。
（１）六角形状に形成されて袋部１５に空気が封入可能とされた本体部１１の内側に、袋部１５内に空気が封入された状態で物品１を収納可能な収納空間１６が形成され、また、本体部１１の下端側における内側に配設されて袋部１５に空気が封入可能とされたストッパ部１２が、この袋部１５に空気が封入された状態で、収納空間１６内に収納された物品１に当接することから、このストッパ部１２により、物品１が収納空間１６内から抜け落ちることを防止でき、物品１を収納空間１６内に良好に保持して包装することができる。
【００２６】
（２）本体部１１及びストッパ部１２は、空気が封入可能な多数の袋部１５により構成されるので、これらの袋部１５に空気が封入されることによって、本体部１１の収納空間１６内に収納された物品１に対し、包装体１０の外部からの衝撃を袋部１５内の空気の圧力により吸収することで、この衝撃を良好に緩衝することができる。
【００２７】
（３）包装体１０では、フラップ部１３が本体部１１の上端側に配設されて、本体部１１の収納空間１６内に収納された物品１の飛び出しを防止する機能を果たすことから、このフラップ部１３によって、物品１を包装体１０内に、より一層良好に保持することができる。
【００２８】
（４）包装体１０では、本体部１１、ストッパ部１２及びフラップ部１３が透明フィルムにて形成された場合には、収納空間１６内に収納された物品１を外部から目視できるので、包装体１０の収納空間１６内にメロンＭなどの物品１を収納した状態で、この包装体１０を店頭の陳列棚または陳列台上に載置することによって、陳列効果を高めることができる。
【００２９】
（５）包装体１０では、取っ手部１４が本体部１１の上端側に固着されたことから、この取っ手部１４を把持することによって、例えば陳列棚または陳列台上に載置され、物品１としてのメロンＭを収納した包装体１０をレジカウンタまで移動させることができ、また、購入後に持ち運びでき、更に、購入者の家屋内においてメロンＭの熟成のために、取っ手部１４を用いて包装体１０を懸吊し、この状態で物品１（メロンＭ）を保管することができる。
【００３０】
［Ｂ］第２の実施の形態（図９及び図１０；請求項１，２及び５に対応）
図９は、本発明に係る包装体の第２の実施の形態を示す斜視図である。この第２の実施の形態において、前記第１の実施の形態と同様な部分は、同一の符号を付すことにより説明を省略する。
【００３１】
この第２の実施の形態の包装体３０は、本体部３１が四角形状に構成されたものである。従って、この本体部３１を形成する表面シート１８及び裏面シート１９には、同一直線状に設けられた縦接合部２２及び２４が、表面シート１８及び裏面シート１９の長手方向に沿って等間隔に３列形成される。表面シート１８及び裏面シート１９の上端部における縦外縁接合部２０を、ヒートシールなどにより熱接合して本体部３１を形成する際に、三箇所の上記縦接合部２２及び２４が折り曲げられて、本体部３１は四角筒形状に構成される。
この包装体３０においても、前記第１の実施の形態の包装体１０の効果（１）〜（５）と同様な効果を奏する。
【００３２】
［Ｃ］第３の実施の形態（図１１〜図１６；請求項７，８及び１１に対応）
図１１は、本発明に係る包装体の第３の実施の形態を示す斜視図である。図１２は、図１１におけるフラップ部が接合されて閉じられる前の状態を示す斜視図である。この第３の実施の形態において、前記第１の実施の形態と同様な部分は、同一の符号を付すことにより説明を省略する。
【００３３】
これらの図１１及び図１２に示す包装体４０は、収納した物品１に対する外方からの衝撃を、気体としての空気の圧力により緩衝するものであり、縮径部４１、フラップ部４２、取っ手基部４３及び取っ手部４４を有して構成される。これらの縮径部４１、フラップ部４２、取っ手基部４３及び取っ手部４４は、柔軟な気密性の高い合成樹脂フィルムにて構成されている。
【００３４】
フラップ部４２が互いに接合されていない状態で、縮径部４１、フラップ部４２及び取っ手基部４３は、図１２に示すように筒形状に形成される。また、これらの縮径部４１、フラップ部４２及び取っ手基部４３は、空気を封入可能な多数の袋部１５が連接されて構成される。そして、これらの縮径部４１、フラップ部４２及び取っ手基部４３に囲まれて、物品１を収納可能な収納空間４５が形成される。
【００３５】
上記縮径部４１は、図１５及び図１６に示すように、包装体４０の一端側（本実施の形態では下端側）に設けられ、一端側先端（本実施の形態では下方先端）へ向かって漸次縮径して構成される。従って、縮径部４１を構成する袋部１５に空気が封入されたとき、この縮径部４１は、収納空間４５内に収納された物品１に当接して、この物品１が包装体４０の下端から抜け落ちることを防止すると共に、この物品１を包装体４０の下端から持ち上げて保持する。
【００３６】
図１２に示すように、包装体４０の他端側（本実施の形態では上端側）には、下端へ向かって延びる切込み４６が、所定間隔で複数本（例えば４本）設けられる。包装体４０の上端側は、これら複数本の切込み４６により分割されてフラップ部４２及び取っ手基部４３として構成される。このうち、取っ手基部４３は、対向した位置に一対配置される。
【００３７】
上記フラップ部４２は、収納空間４５内に物品１が収納された状態で、図１１に示すようにそれらの上端部が、例えば接着テープ４７等によって接合されて当該物品１を覆う。これにより、物品１が包装体４０から飛び出すことが防止される。また、上記取っ手基部４３のそれぞれに、前記取っ手部４４の端部が熱接合される。この取っ手部４４を把持することによって、包装体４０が持ち運び可能とされる。
【００３８】
ところで、この包装体４０においても、縮径部４１、フラップ部４２及び取っ手基部４３は、表面シート１８及び裏面シート１９を重ね合わせて、ヒートシールなどにより熱接合することにより構成される。つまり、図１３に示すように、重ね合わされた表面シート１８及び裏面シート１９にヒートシールなどにより縦外縁接合部２０及び横外縁接合部２１を形成し、更に、横外縁接合部２１に平行して、表面シート１８及び裏面シート１９の中央位置に複数の横接合部４９をヒートシールなどの熱接合により、所定の隙間を隔てて一列に形成する。と同時に、縦外縁接合部２０に平行して、複数の縦接合部４８をヒートシールなどの熱接合によって複数列形成する。これらの縦接合部４８は、各列において、所定の隙間を隔てて複数個形成される。
【００３９】
次に、熱接合により重ね合わされた表面シート１８及び裏面シート１９に複数本の切込み４６を形成する。この切込み４６は、重ね合わされた表面シート１８及び裏面シート１９の長手方向中央位置で、この長手方向に直交して設けられた仮想直線５０に対し対称した位置に形成される。更に、この切込み４６は縦接合部４６に形成される。
【００４０】
次に、重ね合わされた表面シート１８及び裏面シート１９を、上記仮想直線５０を境に折り曲げて重ね合わせ、図１４（Ａ）に示すように、表面シート１８及び裏面シート１９の両端に位置する縦外縁接合部２０どうしをヒートシールなどにより熱接合して、筒形状の包装体４０の原型体５３を構成する。
【００４１】
その後、この筒形状の原型体５３において、横接合部４９よりも図１４（Ｂ）における下方側部分の左右両端部を、ヒートシールなどにより斜めに熱接合して傾斜接合部５１を形成する。この状態で、原型体５３における傾斜接合部５１の外側の三角形状部分５２を切断して除去し、包装体４０を構成する。
【００４２】
上述のようにして、図１４（Ｂ）における包装体４０の横接合部４９を境とした下半部分に、下端へ向かい漸次縮径した形状の縮径部４１が形成される。また、図１４（Ｂ）における包装体４０の横接合部４９を境とした上半部分には、複数本の切込み４６により分割されて、フラップ部４２及び取っ手基部４３が形成される。
【００４３】
尚、縮径部４１、フラップ部４２及び取っ手基部４３には、図１３に示すように、縦外縁接合部２０、横外縁接合部２１、縦接合部４８、横接合部４９及び傾斜接合部５１に囲まれて、多数の袋部１５が形成される。更に、この包装体４０においても、縦接合部４８及び横接合部４９が互いに隙間を隔てて設けられているので、この隙間により通気部２６が形成されて、縮径部４１、フラップ部４２及び取っ手基部４３を構成する多数の袋部１５は、上記通気部２６により連通される。従って、図１４（Ｂ）に示すように、給排気口２７が縮径部４１に設けられるが、この給排気口２７から空気が供給されることで、縮径部４１、フラップ部４２及び取っ手基部４３の全ての袋部１５内へ空気が供給されて、これらの袋部１５が膨出する。
【００４４】
上述のように構成された包装体４０では、縮径部４１の給排気口２７から縮径部４１、フラップ部４２及び取っ手基部４３の袋部１５内へ空気を供給した後に、収納空間４５内に物品１を収納してもよく、または、縮径部４１、フラップ部４２及び取っ手基部４３の袋部１５内へ空気を供給する前に収納空間４５内に物品１を収納し、その後、給排気口２７を介して縮径部４１、フラップ部４２及び取っ手基部４３の袋部１５内に空気を供給して封入してもよい。後者の場合には、収納空間４５内の物品１が、縮径部４１、フラップ部４２及び取っ手基部４３の袋部１５内における空気の圧力により挟持されて、収納空間４５内に保持されることになる。
【００４５】
以上のように構成されたことから、この実施の形態の包装体４０によれば、次の効果（６）〜（１０）を奏する。
（６）縮径部４１、フラップ部４２及び取っ手基部４３は筒形状に形成されて、これらを構成する多数の袋部１５に空気が封入可能とされ、上記縮径部４１、フラップ部４２及び取っ手基部４３に囲まれて収納空間４５が形成され、上記縮径部４１が、その袋部１５に空気が封入された状態で、収納空間４５内に収納された物品１に当接することから、この縮径部４１により、物品１が収納空間４５内から抜け落ちることを防止でき、物品１を収納空間４５内に良好に保持して包装することができる。
【００４６】
（７）縮径部４１、フラップ部４２及び取っ手基部４３は、空気が封入可能な多数の袋部１５により構成されるので、これらの縮径部４１、フラップ部４２及び取っ手基部４３の袋部１５に空気が封入されることによって、収納空間４５内に収納された物品１に対し、包装体４０の外部からの衝撃を袋部１５内の空気の圧力により吸収することで、この衝撃を良好に緩衝することができる。
【００４７】
（８）包装体４０では、フラップ部４２が接着テープ４７等により接合されて、収納空間４５内に収納された物品１の飛び出しを防止する機能を果たすことから、このフラップ部４２によって、物品１を包装体４０内に、より一層良好に保持することができる。
【００４８】
（９）包装体４０では、縮径部４１、フラップ部４２及び取っ手基部４３が透明フィルムにて構成された場合には、収納空間４５内に収納された物品１を外部から目視できるので、包装体４０の収納空間４５内にメロンＭなどの物品１を収納した状態で、この包装体４０を店頭の陳列棚または陳列台上に載置することによって、陳列効果を高めることができる。
【００４９】
（１０）包装体４０では、取っ手部４４が取っ手基部４３に固着されたことから、この取っ手部４４を把持することによって、例えば陳列棚または陳列台上に載置され、物品１としてのメロンＭを収納した包装体４０をレジカウンタまで移動させることができ、また、購入後に持ち運ぶことができ、更に、購入者の家屋内においてメロンＭの熟成のために、取っ手部４４を用いて包装体４０を懸吊し、この状態で物品１（メロンＭ）を保管することができる。
【００５０】
［Ｄ］第４の実施の形態（図１７〜図２２；請求項１、３及び５に対応）
図１７は、本発明に係る包装体の第４の実施の形態を示す斜視図である。図２２は、図１７のＸＸＩＩ‐ＸＸＩＩ線に沿う断面図である。この第４の実施の形態において、前記第１の実施の形態と同様な部分は、同一の符号を付すことにより説明を省略する。
【００５１】
これらの図１７及び図２２に示す包装体６０は、図１及び図７に示す包装体１０において、フラップ部１３を抑止部６１に変更したものであり、収納空間１６内に収納されたメロンＭなどの物品１は、この抑止部６１によりその飛び出しが抑止される。
【００５２】
つまり、包装体６０の本体部１１は六角筒形状に形成されて、その内側に収納空間１６が形成される。そして、この本体部１１には、その一端側（本実施の形態では下端側）の内側にストッパ部１２が一体に配設されると共に、その他端側（本実施の形態では上端側）の内側に上記抑止部６１が一体に配設される。ストッパ部１２及び抑止部６１は、気体としての空気を封入可能な多数の袋部１５を有してなり、これらの袋部１５に空気が封入されたときに収納空間１６側へ膨出可能とされる。
【００５３】
ストッパ部１２は、収納空間１６側へ膨出されることによって、この収納空間１６内に収納された物品１に当接してこの物品１を押圧し、物品１が収納空間１６の下方から抜け落ちることを防止すると共に、この物品１を包装体６０の下端から持ち上げて保持する。また、上記抑止部６１は、収納空間１６側へ膨出されることによって、この収納空間１６内に収納された物品１に当接してこの物品１を押圧し、物品１が収納空間１６の上方へ飛び出すことを防止する。
【００５４】
この抑止部６１を備えた包装体６０の製造手順を、図１８〜図２０を用いて説明する。
図１８に示すように、表面シート１８及び裏面シート１９に縦外縁接合部２０、横外縁接合部２１及び横接合部２３を、ヒートシールなどの熱接合によって形成する。次に、このように熱接合された表面シート１８及び裏面シート１９を、一方の横外縁接合部２１に最も近い横接合部２３上の仮想直線２５を境として、例えば表面シート１８側に折り重ねる共に、他方の横外縁接合部２１に最も近い横接合部２３付近の仮想直線６２を境として、同様に表面シート１８側に折り重ねる。
【００５５】
この状態で、図１９に示すように、重ね合わされた表面シート１８及び裏面シート１９に、縦外縁接合部２０に平行して縦接合部６３を、ヒートシールなどの熱接合により形成する。この縦接合部６３は、表面シート１８及び裏面シート１９の長手方向に沿ってほぼ等間隔に５列設けられる。
【００５６】
その後、図２０に示すように、表面シート１８を内側に、裏面シート１９を外側にそれぞれ位置付けて屈曲させ、両端に位置する縦外縁接合部２０をヒートシールなどにより熱接合する。更に、本体部１１の上端縁に取っ手部１４の両端を、同様にして熱接合する。
【００５７】
上述のように、熱接合された表面シート１８及び裏面シート１９の大部分は、縦接合部６３を境に屈曲されて、六角形状の本体部１１を構成する。また、仮想直線２５を境に折り曲げられた表面シート１８及び裏面シート１９の一部は、縦接合部６３を境に屈曲されて、本体部１１の下端部に配設されるストッパ部１２を構成する。更に、仮想直線６２を境に折り曲げられた表面シート１８及び裏面シート１９の一部は、縦接合部６３を境に屈曲されて、本体部１１の上端部に配設される抑止部６１を構成する。
【００５８】
このように構成された本体部１１、ストッパ部１２及び抑止部６１は、図２１に示すように、多数の袋部１５が連接されて構成される。この袋部１５は、図１９に示すように、表面シート１８及び裏面シート１９において、縦外縁接合部２０、横外縁接合部２１、縦接合部６３及び横接合部２３に囲まれて形成されたものである。
【００５９】
この袋部１５に空気を供給する前に（図２０）、本体部１１の収納空間１６内にメロンＭなどの物品１を収納させ、その後、給排気口２７から本体部１１、ストッパ部１２及び抑止部６１を構成する全ての袋部１５へ空気を封入することによって、図２２に示すように、本体部１１、ストッパ部１２及び抑止部６１の袋部１５が収納空間１６側へ膨出する。この膨出したストッパ部１２の袋部１５によって物品１の抜け落ちが防止されるとともに、物品１に抑止部６１側へ向かう力Ｆ１が作用し、また、膨出した抑止部６１の袋部１５によって物品１の飛び出しが防止されるとともに、物品１にストッパ部１２側へ向かう力Ｆ２が作用する。そして、上記力Ｆ１及びＦ２により物品１が挟持されて収納空間１６内に保持される。
【００６０】
以上のように構成されたことから、上記実施の形態によっても、前記第１の実施の形態の包装体１０の効果（１）、（２）および（５）と同様な効果を奏する他、次の効果（１１）、（１２）および（１３）を奏する。
（１１）抑止部６１は本体部１１の上端側に配設され、この抑止部６１の袋部１５に封入された空気の圧力により、本体部１１の収納空間１６内に収納された物品１に当接してこの物品１を押圧することから、物品１が本体部１１から飛び出すことを確実に防止または抑止できる。
【００６１】
（１２）本体部１１の収納空間１６内に収納された物品１には、空気により膨出されたストッパ部１２により上向きの力Ｆ１が作用し、また、空気により膨出された抑止部６１により下向きの力Ｆ２が作用するので、上記物品１は、これらの力Ｆ１及びＦ２により挟持されて、収納空間１６内により一層良好に保持される。と同時に、本体部１１及びストッパ部１２の袋部１５内の空気圧のみならず、抑止部６１の袋部１５内の空気圧によっても、物品１に作用する衝撃を良好に緩衝できる。
【００６２】
（１３）包装体６０では、本体部１１、ストッパ部１２及び抑止部６１が透明フィルムにて形成された場合には、収納空間１６内に収納された物品１を外部から目視できるので、包装体６０の収納空間１６内にメロンＭなどの物品１を収納した状態で、この包装体６０を店頭の陳列棚または陳列台上に載置することによって、陳列効果を高めることができる。
【００６３】
（Ｅ）第５の実施の形態（図２３〜図２８；請求項９、１０及び１１に対応）図２３は、本発明に係る包装体の第５の実施の形態を示す斜視図である。図２７は、図２３のＸＸＶＩＩ‐ＸＸＶＩＩ線に沿う断面図である。この第５の実施の形態において、前記第１及び第３の実施の形態と同様な部分は、同一の符号を付すことにより説明を省略する。
【００６４】
これらの図２３及び図２７に示す包装体７０は、収納した物品１に対する外方からの衝撃を、気体としての空気の圧力により緩衝するものであり、一端側部としての下半部７１、他端側部としての上半部７２、位置決め手段としての位置決めフラップ７３、及び取っ手部４４を有して構成される。これらの下半部７１、上半部７２、位置決めフラップ７３及び取っ手部４４は、柔軟な気密性の高い合成樹脂フィルムにて構成されている。
【００６５】
下半部７１及び上半部７２は、図２５に示すように筒形状に形成され、空気が封入可能な多数の袋部１５が連接されて構成される。そして、これらの下半部７１及び上半部７２に囲まれて、物品１を収納可能な収納空間７５が形成される。
【００６６】
図２６及び図２７に示すように、上記下半部７１は、包装体７０の一端側（本実施の形態では下端側）に設けられ、上記上半部７２は、包装体７０の他端側（本実施の形態では上端側）に設けられる。これらの下半部７１と上半部７２の境界が、後述の横接合部４９である。
【００６７】
収納空間７５内に物品１が収納されない状態で、上記下半部７１及び上半部７２を構成する袋部１５に空気が封入されたときには、図２８に示すように、下半部７１及び上半部７２は、横接合部４９を境として内側に折れ曲がることなく、直線状に維持される。
【００６８】
ところが、図２６に示すように、収納空間７５内に物品１（この図２６ではメロンＭを収納するカップ３３）が収納され、しかも、この物品１の最大外径部分１Ａ（この図２６ではカップ３３の最大外径部分１Ａ）が横接合部４９に対応して位置付けられた状態で、下半部７１及び上半部７２を構成する袋部１５内に空気が封入された場合には、図２７に示すように、横接合部４９は物品１の最大外径部分１Ａによって位置規制されるため包装体７０の内側へ移動できず、下半部７１及び上半部７２の袋部１５が内側へ膨出して物品１に当接又は接触し、この物品１を押圧する。これにより、下半部７１及び上半部７２は横接合部４９を境として内側に折れ曲がり、下半部７１は、一端側先端（本実施の形態では下方先端）へ向かって漸次縮径された形状となって、物品１（及びカップ３３）に斜め上向きの力Ｋ１を作用する。また、上半部７２は、他端側先端（本実施の形態では上方先端）へ向かって漸次縮径された形状となって、物品１（及びカップ３３）に斜め下向きの力Ｋ２を作用する。
【００６９】
従って、下半部７１を構成する袋部１５に空気が封入されたとき、この下半部７１は、収納空間７５内に収納された物品１に当接して、この物品１が包装体７０の下端から抜け落ちることを防止すると共に、物品１を包装体７０の下端から持ち上げる。また、上半部７２を構成する袋部１５に空気が封入されたとき、この上半部７２は、収納空間７５内に収納された物品１に当接して、この物品１が包装体７０の上端から飛び出すことを防止する。
【００７０】
前記位置決めフラップ部７３は、図２５及び図２８に示すように、それらの上端部７６が上半部７２の上端縁に接着され、収納空間７５内に垂れ下げられた状態で配設される。収納空間７５内に収納される物品１は、図２７に示すように、この位置決めフラップ７３に係止されて、包装体７０から抜け落ちることが防止される。しかも、この位置決めフラップ７３の長さは、図２６に示すように、下半部７１及び上半部７２を構成する袋部１５内に空気が封入されない状態で物品１を係止したとき、この物品１の最大外径部分１Ａを下半部７１と上半部７２との境界に相当する横接合部４９に位置付けるべく調整されて設定される。この状態では、物品１の重量で包装体７０の下半部７１が縮み変形し、位置決めフラップ７３に係止された物品１は、包装体７０が載置された机や床などに支持される。
【００７１】
前記取っ手部４４は、上半部７２の上端縁、例えば位置決めフラップ７３と同一の位置に接着される。この取っ手部４４を把持することによって、包装体７０が持ち運び可能とされる。
【００７２】
ところで、この包装体７０においても、下半部７１及び上半部７２は、図２４に示すように、表面シート１８及び裏面シート１９を重ね合わせて、ヒートシールなどにより熱接合することにより構成される。つまり、重ね合わされた表面シート１８及び裏面シート１９にヒートシールなどにより縦外縁接合部２０及び横外縁接合部２１を形成し、更に、横外縁接合部２１に平行して、表面シート１８及び裏面シート１９の中央位置に複数の横接合部４９をヒートシールなどの熱接合により、所定の隙間を隔てて一列に形成する。と同時に、縦外縁接合部２０に平行して、複数の縦接合部４８をヒートシールなどの熱接合によって複数列形成する。これらの縦接合部４８は、各列において、所定の隙間を隔てて複数個形成される。
【００７３】
次に、重ね合わされた表面シート１８及び裏面シート１９を、これらの表面シート１８及び裏面シート１９の長手方向中央位置で、この長手方向に直交して設けられた仮想直線５０を境に折り曲げて重ね合わせる。そして、図２５に示すように、表面シート１８及び裏面シート１９の両端に位置する縦外縁接合部２０どうしをヒートシールなどにより熱接合して、筒形状の包装体７０を構成する。このようにして、包装体７０の横接合部４９を境とした下半部分に下半部７１が、上半部分に上半部７２がそれぞれ形成される。
【００７４】
尚、下半部７１及び上半部７２には、図２４に示すように、縦外縁接合部２０、横外縁接合部２１、縦接合部４８及び横接合部４９に囲まれて、多数の袋部１５が形成される。更に、この包装体７０においても、縦接合部４８及び横接合部４９が互いに隙間を隔てて設けられているので、この隙間により通気部２６が形成されて、下半部７１及び上半部７２を構成する多数の袋部１５は、上記通気部２６により互いに連通される。従って、図２５に示すように、給排気口２７が上半部７２に設けられるが、この給排気口２７から空気が供給されることで、下半部７１及び上半部７２の全ての袋部１５内へ空気が供給されて、これらの袋部１５が膨出する。
【００７５】
上述のように構成された包装体７０では、下半部７１及び上半部７２の袋部１５内へ空気を供給する前に収納空間７５内に物品１を収納し、その後、給排気口２７を介して、下半部７１及び上半部７２の袋部１５内に空気を供給して封入する。この場合には、収納空間７５内の物品１は、下半部７１及び上半部７２の袋部１５内における空気の圧力により力Ｋ１及びＫ２が作用されて挟持され、収納空間７５内に保持されることになる。
【００７６】
以上のように構成されたことから、この実施の形態の包装体７０によれば、次の効果（１１）〜（１６）を奏する。
（１１）下半部７１及び上半部７２は筒形状に形成されて、これらを構成する多数の袋部１５に空気が封入可能とされ、上記下半部７１及び上半部７２に囲まれて収納空間７５が形成され、上記下半部７１が、その袋部１５に空気が封入された状態で、収納空間７５内に収納された物品１に当接することから、この下半部７１により、物品１が収納空間７５内から抜け落ちることを防止でき、物品１を収納空間７５内に良好に保持して包装することができる。
【００７７】
（１２）下半部７１及び上半部７２は、空気が封入可能な多数の袋部１５により構成されるので、これらの下半部７１及び上半部７２の袋部１５に空気が封入されることによって、この袋部１５内の空気の圧力が、収納空間７５内に収納された物品１に対し、包装体７０の外部からの衝撃を吸収でき、この衝撃を良好に緩衝することができる。
【００７８】
（１３）包装体７０では、上半部７２を構成する袋体１５に空気が封入されることにより、この上半部７２が内側に膨出して物品１に当接することから、収納空間７５内に収納された物品１の飛び出しを防止できるので、物品１を包装体７０内に、より一層良好に保持することができる。
【００７９】
（１４）包装体７０では、下半部７１、上半部７２及び位置決めフラップ７３が透明フィルムにて構成された場合には、収納空間７５内に収納された物品１を外部から目視できるので、包装体７０の収納空間７５内にメロンＭなどの物品１を収納した状態で、この包装体７０を店頭の陳列棚または陳列台上に載置することによって、陳列効果を高めることができる。
【００８０】
（１５）包装体７０では、取っ手部４４が上半部７２の上端縁に固着されたことから、この取っ手部４４を把持することによって、例えば陳列棚または陳列台上に載置され、物品１としてのメロンＭを収納した包装体７０をレジカウンタまで移動させることができ、また、購入後に持ち運ぶことができ、更に、購入者の家屋内においてメロンＭの熟成のために、取っ手部４４を用いて包装体７０を懸吊し、この状態で物品１（メロンＭ）を保管することができる。
（１６）位置決めフラップ７３が収納空間７５内に収納された物品１を係止することから、下半部７１及び上半部７２を構成する袋部１５から万一空気が抜けてしまった場合にも、この位置決めフラップ７３によって、包装体７０からの物品１の抜け落ちを確実に防止できる。
【００８１】
［Ｆ］第６の実施の形態（図２９〜図３３；請求項４、５及び６に対応）
図２９は、本発明に係る包装体の第６の実施の形態を示す斜視図である。図３３は、図２９のＸＸＸＩＩＩ‐ＸＸＸＩＩＩ線に沿う断面図である。この第６の実施の形態において、前記第１の実施の形態と同様な部分は、同一の符号を付すことにより説明を省略する。
【００８２】
これらの図２９及び図３３に示す包装体８０は、収納した物品１に対する外方からの衝撃を、気体としての空気の圧力により緩衝するものであり、本体部８１、閉塞部としての底部８２、及び取っ手部８３を有して構成される。これらの本体部８１、底部８２及び取っ手部８３は気密性の高い、特に柔軟な合成樹脂フィルム（例えばオレフィン系素材）にて構成される。
【００８３】
上記本体部８１は、図３１及び図３２に示すように、外周面８４の内側に内周面８５が同心円状に配置され、これらの外周面８４及び内周面８５の上縁が、リング形状の天面８６により熱接合されて閉塞され、外周面８４及び内周面８５の下縁が後述の如く底部８２に熱接合されて閉塞されて、円筒形状に構成される。
【００８４】
これらの外周面８４、内周面８５、天面８６及び底部８２に囲まれた空間８７内に空気が封入可能とされる。この空気は、天面８６と外周面８４又は内周面８５との境界部分に配設された給排気口８８を通して空間８７内へ供給される。また、上記内周面８５の内側に、物品１を収納可能な収納空間８９が形成される。
【００８５】
前記底部８２は、本体部８１の一端側（本実施の形態では下端側）に熱接合されて、この本体部８１における空間８７及び収納空間８９の下方を閉塞する。これにより、底部８２は、収納空間８９内に収納された物品１に当接して、この物品１が包装体８０の下部から抜け落ちることを防止する。
【００８６】
この底部８２は、図３０に示すように、円板形状のアッパシート９１とロアシート９２とが同心円状に配置され、それらの中央部分がリング状に熱接合され（このリング状接合部を図３１及び図３２に符号９３で示す。）、これらアッパシート９１及びロアシート９２の外周縁が本体部８１における外周面８４の下端縁９４に熱接合されて構成される。また、本体部８１における内周面８５の下端縁９５は、底部８２のアッパシート９１に熱接合される。
【００８７】
上記底部８２は、図３２に示すように、アッパシート９１及びロアシート９２に囲まれて、リング状接合部９３の外側に膨出部９０を備える。この膨出部９０は、図３３に示すように、空気が封入されて膨出可能とされ、底部８２の外周に沿ってドーナツ形状に設けられる。この膨出部９０は、膨出状態では、包装体８０が机や床などに載置されたとき、これらの机や床などに直接に接触して、この包装体８０の安定性を確保する。更に、膨出状態の膨出部９０は、収納空間８９内に収納された物品１を包装体８０の下端から持ち上げて、物品１が机や床などに直接接触しないように保持する。
【００８８】
上記底部８２のアッパシート９１には、図３２及び図３３に示すように、本体部８１の空間８７に対応する位置に通気穴９６が形成される。従って、給排気口８８から空間８７内に供給された空気は、上記通気穴９６を経て膨出部９０内へ供給され、この膨出部９０を膨出させる。また、図３１に示すように、本体部８１の外周面８４に前記取っ手部８３が熱接合される。この取っ手部８３を把持することにより、包装体８０の持ち運びが可能とされる。
【００８９】
上述のように構成された包装体８０では、本体部８１の空間８７及び底部８２の膨出部９０へ空気を供給する前に、本体部８１の収納空間８９内に物品１を収納する。その後、給排気口８８を用いて、本体部８１の空間８７及び底部８２の膨出部９０内へ空気を封入する。すると、図３３に示すように、底部８２の膨出部９０が収納空間８９内の物品１を机や床などから持ち上げると共に、本体部８１の内周面８５が内側へ膨出する。この内周面８５は、内側に膨出する間に、収納空間８９内に収納された物品１の外表面に接触し、この物品１の形状に沿って変形する。特に、内周面８５の上方部分は、収納空間８９内の物品１に斜め下向きの力Ｐ２を作用し、底部８２の膨出部９０が、収納空間８９内の物品１に作用する斜め上向きの力Ｐ１との相乗作用で、物品１を挟持する。
【００９０】
以上のように構成されたことから、上記実施の形態によれば、次の効果（１７）〜（２２）を奏する。
（１７）円筒形状に形成されて空間８７に空気が封入可能とされた本体部８１の内側に、物品１を収納可能な収納空間８９が形成され、また、本体部８１の下端側を閉塞する底部８２が、収納空間８９内に収納された物品１に当接することから、この底部８２により物品１が収納空間８９から抜け落ちることを防止でき、物品１を収納空間８９内に良好に保持して包装することができる。
【００９１】
（１８）本体部８１の空間８７及び底部８２の膨出部９０に空気が封入されることから、これらの空気の圧力が、本体部８１の収納空間８９内に収納された物品１に対し、包装体８０の外部からの衝撃を吸収でき、この衝撃を良好に緩衝することができる。
【００９２】
（１９）本体部８１の空間８７及び底部８２の膨出部９０に空気が封入されることにより、本体部８１の収納空間８９内に収納された物品１に対し、本体部８１の内周面８５が力Ｐ２を作用し、底部８２の膨出部９０が力Ｐ１を作用することから、これらの力Ｐ１及びＰ２によって、収納空間８９内の物品１を挟持でき、その飛び出しを防止できる。
【００９３】
（２０）底部８２の膨出部９０は、底部８２の外周に沿って形成され、空気の封入状態でドーナツ形状に膨出されたことから、本体部８１の収納空間８９内に収納された物品１が机や床に直接接触することを防止できるばかりか、包装体８０を机や床などに安定して載置できる。
【００９４】
（２１）包装体８０では、本体部８１及び底部８２が透明フィルムにて形成された場合には、収納空間８９内に収納された物品１を外部から目視できるので、包装体８０の収納空間８９内にメロンＭなどの物品１を収納した状態で、この包装体８０を店頭の陳列棚または陳列台上に載置することによって、陳列効果を高めることができる。
【００９５】
（２２）包装体８０では、取っ手部８３が本体部８１の上端側に固着されたことから、この取っ手部８３を把持することによって、例えば陳列棚または陳列台上に載置され、物品１としてのメロンＭを収納した包装体８０をレジカウンタまで移動させることができ、また、購入後に持ち運びでき、更に、購入者の家屋内においてメロンＭの熟成のために、取っ手部８３を用いて包装体８０を懸吊し、この状態で物品１（メロンＭ）を保管することができる。
【００９６】
以上、本発明を上記実施の形態に基づいて説明したが、本発明はこれに限定されるものではない。
例えば、物品１としてのメロンＭを包装体１０、３０、４０、６０、８０により包装する場合には、図７、図１６、図２２及び図３３に２点鎖線で示すように、メロンＭの下部を納めるカップ３３を、メロンＭと同時に包装体１０、３０、４０、６０、８０内に収納してもよい。
【００９７】
【発明の効果】
本発明に係る包装体によれば、体積の大きな物品、例えば生鮮果実を良好に包装できる
【図面の簡単な説明】
【図１】本発明に係る包装体の第１の実施の形態を示す斜視図である。
【図２】図１の包装体の製造過程を示す展開図である。
【図３】図１の包装体の製造過程を示す展開図である。
【図４】図１の包装体の製造過程を示す斜視図である。
【図５】図１の包装体で、空気を封入する前の斜視図である。
【図６】図５のＶＩ‐ＶＩ線に沿う断面図である。
【図７】図１のＶＩＩ‐ＶＩＩ線に沿う断面図である。
【図８】物品としての植木鉢を収納したときの図７に対応する断面図である。
【図９】本発明に係る包装体の第２の実施の形態を示す斜視図である。
【図１０】図９の包装体の製造過程を示す展開図である。
【図１１】本発明に係る包装体の第３の実施の形態を示す斜視図である。
【図１２】図１１におけるフラップ部が接合されて閉じられる前の状態を示す斜視図である。
【図１３】図１１の包装体の製造過程を示す展開図である。
【図１４】図１１の包装体の製造過程を示す正面図である。
【図１５】図１４（Ｂ）のＸＶ‐ＸＶ線に沿う断面図である。
【図１６】図１１のＸＶＩ‐ＸＶＩ線に沿う断面図である。
【図１７】本発明に係る包装体の第４の実施の形態を示す斜視図である。
【図１８】図１７の包装体の製造過程を示す展開図である。
【図１９】図１７の包装体の製造過程を示す展開図である。
【図２０】図１７の包装体で、空気を封入する前の斜視図である。
【図２１】図２０のＸＸＩ‐ＸＸＩ線に沿う断面図である。
【図２２】図１７のＸＸＩＩ‐ＸＸＩＩ線に沿う断面図である。
【図２３】本発明に係る包装体の第５の実施の形態を示す斜視図である。
【図２４】図２３の包装体の製造過程を示す展開図である。
【図２５】図２３の包装体において空気を封入する前の斜視図である。
【図２６】図２５のＸＸＶＩ‐ＸＸＶＩ線に沿う断面図である。
【図２７】図２３のＸＸＶＩＩ‐ＸＸＶＩＩ線に沿う断面図である。
【図２８】収納空間に物品を収納しない状態で袋部に空気を封入したときの図２７に対応する断面図である。
【図２９】本発明に係る包装体の第６の実施の形態を示す斜視図である。
【図３０】図２９の包装体の分解斜視図である。
【図３１】図２９の包装体において空気を封入する前の斜視図である。
【図３２】図３１のＸＸＸＩＩ‐ＸＸＸＩＩ線に沿う断面図である。
【図３３】図２９−ＸＸＸＩＩＩ‐ＸＸＸＩＩＩ線に沿う断面図である。
【符号の説明】
１  物品
１０  包装体
１１  本体部
１２  ストッパ部
１３  フラップ部
１４  取っ手部
１５  袋部
１６  収納空間
２２、２４  縦接合部
２７  給排気口
３０  包装体
３１  本体部
４０  包装体
４１  縮径部
４２  フラップ部
４４  取っ手部
４５  収納空間
４６  切込み
４９  横接合部（境界）
６０  包装体
６１  抑止部
７０  包装体
７１  下半部（一端側部）
７２  上半部（下端側部）
７５  収納空間
７３  位置決めフラップ（位置決め手段）
８０  包装体
８１  本体部
８２  底部（閉塞部）
８３  取っ手部
８７  空間
８９  収納空間
９０  膨出部
Ｍ  メロン
【図１】
2004237987.tif 000003
【図２】
2004237987.tif 000004
【図３】
2004237987.tif 000005
【図４】
2004237987.tif 000006
【図５】
2004237987.tif 000007
【図６】
2004237987.tif 000008
【図７】
2004237987.tif 000009
【図８】
2004237987.tif 000010
【図９】
2004237987.tif 000011
【図１０】
2004237987.tif 000012
【図１１】
2004237987.tif 000013
【図１２】
2004237987.tif 000014
【図１３】
2004237987.tif 000015
【図１４】
2004237987.tif 000016
【図１５】
2004237987.tif 000017
【図１６】
2004237987.tif 000018
【図１７】
2004237987.tif 000019
【図１８】
2004237987.tif 000020
【図１９】
2004237987.tif 000021
【図２０】
2004237987.tif 000022
【図２１】
2004237987.tif 000023
【図２２】
2004237987.tif 000024
【図２３】
2004237987.tif 000025
【図２４】
2004237987.tif 000026
【図２５】
2004237987.tif 000027
【図２６】
2004237987.tif 000028
【図２７】
2004237987.tif 000029
【図２８】
2004237987.tif 000030
【図２９】
2004237987.tif 000031
【図３０】
2004237987.tif 000032
【図３１】
2004237987.tif 000033
【図３２】
2004237987.tif 000034
【図３３】
2004237987.tif 000035